(57)【要約】  人のバイオメトリック特徴のセンサの検出時に、そのような特徴が、人によって回収装置へ供給される空き飲料容器の回収価格に関するトークンを特定するものとしての役目を果たすことができるようにするための、装置、方法、システム、および、空き飲料容器の回収装置での少なくとも１つのセンサの使用。バイオメトリック特徴は、回収価格支払いポイントにて、少なくとも１つの他のセンサを使用することにより、回収価格、回収価格におけるクレジットの支払いの形態で、または、回収価格に相当する賞金を伴うくじ引き券の発行の形態での回収価格の支払いのための既に登録された特徴として再検出されて再認識される。バイオメトリック特徴は、指紋、顔立ち、眼の特性、虹彩の特徴、手形、掌の線パターン、血管パターン、体形、身長、体重、ＤＮＡ特性および音声スペクトルのうちの少なくとも１つから選択される。【選択図】  図２
2011527036.tif 000002
【特許請求の範囲】
【請求項１】
空いた飲料容器のための回収装置であって、
前記飲料容器の挿入のための受け入れ部と、
１つ以上の挿入された前記飲料容器を検出しおよび／または認識するための機器と、
前記飲料容器の回収価格に関するトークンを付与するためのトークン付与装置と、
を有する、回収装置において
前記トークン付与装置が、
前記飲料容器を当該回収装置内に挿入する人の少なくとも１つのバイオメトリック特徴を検出するようになっている少なくとも１つの第１のセンサと、
前記検出されたバイオメトリック特徴を回収価格のトークンとして規定して登録するための手段と、
を含むことを特徴とする、回収装置。
【請求項２】
当該回収装置が、トークンを提示する際にトークンに関連する回収価格を少なくとも１つの回収価格支払いポイントにて支払うためにそのポイントと通信するようになっており、前記回収価格支払いポイントが、人の前記バイオメトリック特徴の形態で前記トークンを再検出するようになっている少なくとも１つの第２のセンサを備えることを特徴とする、請求項１に記載の回収装置。
【請求項３】
空いた飲料容器のための回収装置であって、
前記飲料容器の挿入のための受け入れ部と、
１つ以上の挿入された前記飲料容器を検出しおよび／または認識するための機器と、
前記飲料容器の回収価格に関するトークンを付与するためのトークン付与装置と、
を有する、回収装置において、
前記トークン付与装置に組み込まれる少なくとも１つの第１のセンサであり、前記飲料容器を当該回収装置内に挿入する人の少なくとも１つのバイオメトリック特徴を検出するようになっている第１のセンサ、および、前記センサ検出されたバイオメトリック特徴を前記トークンとして規定するための前記トークン付与装置内の手段を備え、
前記トークンを提示する際に前記トークンに関連する回収価格を支払うようになっている少なくとも１つの回収価格支払いポイントであり、人の前記バイオメトリック特徴を再検出するようになっている少なくとも１つの第２のセンサを備える回収価格支払いポイントを備えること、
を特徴とする、回収装置。
【請求項４】
当該回収装置が、登録されたバイオメトリックデータを前記少なくとも１つの回収価格支払いポイントに転送して前記回収価格支払いポイントに一時的に記憶し、または前記データを登録された回収価格と共に中央ユニットに転送して記憶するようになっており、
前記回収価格支払いポイントが、人の前記バイオメトリック特徴を再検出するようになっている少なくとも１つの第２のセンサを備え、前記回収価格支払いポイントまたは前記中央ユニットの相関器が、特徴の一致があるときに、回収価格、前記回収価格におけるクレジットの支払いの形態で、または、前記回収価格に対応する賞金を伴うくじ引き券を発行することにより、回収価格の支払いを、支払いユニットを介して人に対して行なうようになっていることを特徴とする、請求項１〜３のいずれか一項に記載の回収装置。
【請求項５】
前記トークン付与装置が当該回収装置のための始動回路の一部であり、当該回収装置が、前記バイオメトリック特徴が満足に検出されて登録されたときだけ前記飲料容器を受け入れ始めるようになっていることを特徴とする、請求項１〜４のいずれか一項に記載の回収装置。
【請求項６】
当該回収装置が受け入れ停止ボタンを備え、または、前記トークン付与装置が再起動時に受け入れストッパとしての役目を果たすことを特徴とする、請求項１〜５のいずれか一項に記載の回収装置。
【請求項７】
前記センサが、指紋、顔立ち、眼の特性、虹彩の特徴、手形、掌の線パターン、血管パターン、体形、身長、体重、ＤＮＡ特性、および、音声スペクトルからなるグループのうちの少なくとも１つからバイオメトリック特徴を読み取るようになっているタイプのものであることを特徴とする、請求項１〜６のいずれか一項に記載の回収装置。
【請求項８】
空いた飲料容器を回収装置へ回収するための方法であって、前記飲料容器を検出しおよび／または認識し、前記飲料容器の回収価格に関するトークンを与える、方法において、
前記飲料容器を受け入れ始める前に、該飲料容器を前記回収装置内に挿入する人の少なくとも１つのバイオメトリック特徴が検出されて登録され、
前記検出されたバイオメトリック特徴が、前記飲料容器の回収価格に関するトークンとして規定される、
ことを特徴とする、方法。
【請求項９】
空いた飲料容器を回収装置へ回収するための方法であって、前記飲料容器の挿入を開始することができ、前記飲料容器を検出しおよび／または認識し、前記飲料容器の回収価格に関するトークンを与える、方法において、
前記飲料容器を前記回収装置へ挿入する前記人のバイオメトリック特徴が前記トークンとして使用され、
前記飲料容器を受け入れ始める前に、人の少なくとも１つのバイオメトリック特徴が検出されて登録され、
前記回収価格支払いポイントにて前記回収価格を人に対して支払う前に、前記既に検出された人の特徴が再検出され、前記転送されて一時的に記憶されたデータと比較され、前記既に検出された特徴と前記新たに検出された特徴との間に一致が存在するときに、回収価格の支払いが、前記回収価格、前記回収価格におけるクレジットの支払いの形態で、または、前記回収価格に相当する賞金を伴うくじ引き券の発行の形態で行なわれる、
ことを特徴とする、方法。
【請求項１０】
前記人によって挿入された飲料容器の受け入れの終了時に、前記登録されたバイオメトリック特徴に関するデータが、少なくとも１つのデータ記憶部へ転送されて前記データ記憶部に一時的に記憶され、もしくは、前記人に対して支払われるまたはクレジットされる前記受けられた飲料容器の登録された回収価格と共に回収価格支払いポイントに通信されることを特徴とする、請求項８または９に記載の方法。
【請求項１１】
前記回収価格支払いポイントにて前記回収価格を前記人に対して支払う前に、前記既に検出された人の特徴が、前記回収価格支払いポイントで再検出され、前記転送されて一時的に記憶されたデータと比較され、
前記既に検出された特徴と前記新たに検出された特徴との間に一致が存在するときに、前記回収価格の支払いが、回収価格、前記回収価格におけるクレジットの支払いの形態で、または、前記回収価格に相当する賞金を伴うくじ引き券の発行の形態で行なわれる、
ことを特徴とする、請求項８または１０に記載の方法。
【請求項１２】
人のバイオメトリック特徴に関する前記記憶されたデータが、前記回収価格が支払われると同時に抹消されることを特徴とする、請求項８または９に記載の方法。
【請求項１３】
前記バイオメトリック特徴が、指紋、顔立ち、眼の特性、虹彩の特徴、手形、掌の線パターン、血管パターン、体形、身長、体重、ＤＮＡ特性、および、音声スペクトルからなるグループのうちの少なくとも１つから選択されることを特徴とする、請求項８〜１２のいずれか一項に記載の方法。
【請求項１４】
受けられた空いた飲料容器の取り扱い・支払いシステムにおいて、
飲料容器のための回収装置であって、
前記飲料容器の挿入のための受け入れ部と、
１つ以上の挿入された前記飲料容器を検出しおよび／または認識するための装置と、
前記飲料容器の回収価格に関するトークンを付与するためのトークン付与装置と、
を有する、回収装置と、
トークンを提示する際にトークンに関連する回収価格を支払うようになっている回収価格支払いポイントと、
を備え、
前記トークン付与装置が、
前記飲料容器を前記回収装置内に挿入する人の少なくとも１つのバイオメトリック特徴を検出するようになっている少なくとも１つの第１のセンサと、
前記検出されたバイオメトリック特徴を前記トークンとして規定して登録するための手段と、
を含み、
前記回収価格支払いポイントが、人の前記バイオメトリック特徴を再検出するようになっている少なくとも１つの第２のセンサを備えることを特徴とする、空き飲料容器の取り扱い・支払いシステム。
【請求項１５】
前記トークン付与装置が前記回収装置のための始動回路の一部であり、前記回収装置が、前記バイオメトリック特徴が適切に検出されて登録されたときだけ飲料容器を受け入れ始めるようになっていることを特徴とする、請求項１４に記載の空き飲料容器の取り扱い・支払いシステム。
【請求項１６】
前記回収装置が受け入れ停止ボタンを備え、または、前記トークン付与装置が再起動時に受け入れストッパとしての役目を果たすことを特徴とする、請求項１４または１５に記載の空き飲料容器の取り扱い・支払いシステム。
【請求項１７】
前記回収装置が、登録されたバイオメトリックデータを少なくとも１つの回収価格支払いポイントへ転送して前記回収価格支払いポイントに一時的に記憶し、または前記データを登録された回収価格と共に中央ユニットに転送して記憶するようになっており、
相関器が前記回収価格支払いポイント内に含まれ、または前記回収価格支払いポイントと通信し、前記相関器が、第１のセンサおよび第２のセンサのそれぞれによって検出される特徴の一致があるときに、回収価格、前記回収価格におけるクレジットの支払いの形態で、または、前記回収価格に対応する賞金を伴うくじ引き券の発行の形態で、回収価格の支払いを人に対して行なうようになっていることを特徴とする、請求項１４〜１６のいずれか一項に記載の空き飲料容器の取り扱い・支払いシステム。
【請求項１８】
前記バイオメトリック特徴が、指紋、顔立ち、眼の特性、虹彩の特徴、手形、掌の線パターン、血管パターン、体形、身長、体重、ＤＮＡ特性、および、音声スペクトルからなるグループのうちの少なくとも１つから選択されることを特徴とする、請求項１４〜１７のいずれか一項に記載の空き飲料容器の取り扱い・支払いシステム。
【請求項１９】
人によって回収装置へ供給される、空き飲料容器の回収価格に関するトークンを特定するような人のバイオメトリック特徴の使用。
【請求項２０】
回収価格支払いポイントでの前記バイオメトリック特徴の再検出および再認識の際に、回収価格、前記回収価格におけるクレジットの支払いの形態で、または、前記回収価格に相当する賞金を伴うくじ引き券の発行の形態で前記回収価格の支払いを行なうための、請求項１９に記載の使用。
【請求項２１】
前記人の少なくとも１つのバイオメトリック特徴のセンサの検出時に、このような特徴が、人によって回収装置へ供給される空き飲料容器における回収価格に関するトークンとしての役目を果たすことができるようにするための、空き飲料容器の回収装置での少なくとも１つのセンサの使用。
【請求項２２】
前記バイオメトリック特徴が、回収価格支払いポイントで、少なくとも１つの第２のセンサを使用することにより、回収価格、前記回収価格におけるクレジットの支払いの形態で、または、前記回収価格に相当する賞金を伴うくじ引き券の発行の形態での回収価格の支払いのための既に登録された特徴として再検出されて再認識される、請求項２１に記載の使用。
【請求項２３】
前記人によって回収装置へ供給される空き飲料容器における回収価格に関するトークンを特定するような人のバイオメトリック特徴の使用であって、回収価格支払いポイントでの前記バイオメトリック特徴の再検出および再認識の際に、回収価格、回収価格におけるクレジットの支払いの形態で、または、前記回収価格に相当する賞金を伴うくじ引き券の発行の形態で、前記回収価格の支払いを行なうための使用。
【請求項２４】
前記少なくとも１つのバイオメトリック特徴の検出のために少なくとも１つのセンサが前記回収装置で使用される、請求項２３に記載の使用。
【請求項２５】
前記バイオメトリック特徴が、前記回収価格支払いポイントで、少なくとも１つの第２のセンサを使用することにより、前記回収価格の前記支払いのための既に登録された特徴として再検出されて再認識される、請求項２４に記載の使用。
【請求項２６】
前記バイオメトリック特徴が、指紋、顔立ち、眼の特性、虹彩の特徴、手形、掌の線パターン、血管パターン、体形、身長、体重、ＤＮＡ特性、および、音声スペクトルからなるグループのうちの少なくとも１つから選択される、請求項１９〜２５のいずれか一項に記載の使用。
【発明の詳細な説明】
【技術分野】
【０００１】
本発明は、空き飲料容器の回収装置であって、飲料容器の挿入のための受け入れ部と、１つ以上の挿入された飲料容器を検出しおよび／または認識するための機器と、回収された飲料容器の回収価格に関するトークン（ｔｏｋｅｎ）を付与するための装置とを有する回収装置に関する。
【０００２】
また、本発明は、空き飲料容器を回収装置へ回収するための方法であって、容器の挿入を起こすことができ、容器が検出されおよび／または認識されて、回収された飲料容器の回収価格に関してトークンが与えられる方法に関する。
【０００３】
更に、本発明は、受けられた空き飲料容器の取り扱い・支払いシステムであって、
飲料容器の挿入のための受け入れ部と、１つ以上の挿入された飲料容器を検出しおよび／または認識するための装置と、そのような飲料容器の回収価格に関するトークンを付与するための装置とを有する飲料容器のための回収装置と、
トークンを提示する際にトークンに関連する回収価格を支払うようになっている回収価格支払いポイントと、
を備える取り扱い・支払いシステムに関する。
【背景技術】
【０００４】
空き飲料容器の回収装置は、１９７２年に市場に導入され、それ以来、世界中に異なる構造で多くの異なる製造メーカから売り出されてきた。このような回収装置は、大抵、受けられた空き飲料容器のレシートをプリントアウトするプリンタを備えており、それにより、顧客は、チェックアウトポイントで、通常はレジで、レシートを受け取ることができ、また、レジでは、レシートを手渡す際に顧客に金銭または他の対価が与えられる。多くの場合、この取引は、顧客が店の敷地内で収集された商品の代金を支払うと同時に行なわれる。ある場合には、そのようなレシートは参照符号がマーキングされたカードに取って代えられ、それにより、顧客は、レジでカードを手渡す際に、挿入された飲料容器の数および飲料容器の価格に関する詳細な情報をカードが何ら含んでいない場合でも、回収装置からレジスタへ伝えられる金額を受け取る。したがって、このようなカードは、それらが支払われてカードが無効になると直ぐに再使用できる。
【０００５】
しかしながら、多くの回収装置が誤動作することは良く知られている。これは、プリンタの紙が使い果たされ、紙が詰まり、または、プリンタの排出機構が故障するからである。このようなプリンタは、一般に、多くの可動部品を有し、更には多くの場合にプリンタに関連するペーパーカッタを有する。該カードが使用される場合には、情報が光学的、磁気的なものであるかどうか、あるいは、カード内のＲＦチップに関する情報の形態であるかどうかにかかわらず、カードに印字されるものを読み取るための機器に加えて、たった１枚のカードを一度に排出するために多くの可動部品が存在する。
【発明の概要】
【発明が解決しようとする課題】
【０００６】
したがって、製造メーカ、および、このような回収装置が設置された店および他の小売店のオーナーのいずれにおいても、顧客が回収された飲料容器の対価を受け取るために使用できるトークンを付与するための装置に関して、より信頼できる回収装置が望まれている。
【０００７】
したがって、本発明の目的はこの必要性のための解決策を提供することである。
【課題を解決するための手段】
【０００８】
また、先に言及された回収装置は、本発明にしたがい、該装置が、飲料容器を回収装置へ挿入する人の少なくとも１つの選択されたバイオメトリック特徴を検出しまたは読み取るようになっているセンサからなり、該検出されたバイオメトリック特徴が該トークンとしての役目を果たすという点において特徴付けられる。
【０００９】
回収装置の更なる実施形態が添付の従属請求項２〜５に記載される。
【００１０】
前述した方法は、本発明にしたがい、飲料容器を回収装置へ挿入する人の該バイオメトリック特徴が該トークンとして使用され、また、飲料容器を受け入れ始める前に人の少なくとも１つのバイオメトリック特徴が検出されて登録されるという点において特徴付けられる。
【００１１】
本方法の更なる実施形態が添付の従属請求項７〜１０に記載される。
【００１２】
先に言及されたシステムは、本発明にしたがい、該装置が、飲料容器を回収装置へ挿入する人の少なくとも１つのバイオメトリック特徴を検出するようになっている第１のセンサからなり、該選択されて検出されたバイオメトリック特徴が該トークンとしての役目を果たし、また、回収価格支払いポイントが人の該バイオメトリック特徴を再検出するようになっている少なくとも１つの第２のセンサを備えるという点において特徴付けられる。
【００１３】
システムの更なる実施形態が添付の従属請求項１２〜１５に記載される。
【００１４】
また、本発明は、人によって回収装置へ供給される空き飲料容器における回収価格に関するトークンを特定するような人のバイオメトリック特徴の使用によって区別される。この使用の更なる態様が添付の従属請求項１７に記載される。
【００１５】
また、本発明は、人の少なくとも１つのバイオメトリック特徴のセンサの検出時に、そのような特徴が、人によって回収装置へ供給される空き飲料容器の回収価格に関するトークンを特定するものとしての役目を果たすことができるようにするための、空き飲料容器のための回収装置でのセンサの使用によって区別される。この使用の更なる態様が添付の従属請求項１９および２０に記載される。
【００１６】
バイオメトリック特徴の使用は、例えばアクセスシステムに関連して多くの接続で長年にわたって知られており、また、つい最近では、フライトの出発に関連する或いは分配機（例えば、ノルウェーのＡＳのＶｅｎｓａｆｅによって販売される分配機）から分配される貴重品の販売に関連するセキュリティチェックに関して知られているが、それにもかかわらず、本発明は、必要性を満たし、長年にわたって存在してきた技術的課題を解決する。また、本発明は、顧客が標準的なレシートを紛失し、または取得し忘れるのを防止する、もしくは、単にレシートをレジで手渡し忘れることを防止するのに役立つ。
【００１７】
ここで、添付図面を参照して、本発明のこれらの特徴および更なる特徴、態様、ならびに、利点について更に十分に説明する。
【図面の簡単な説明】
【００１８】
【図１】本発明に係る回収装置を示している。
【図２】回収価格トークンの設定を行なうために人によって操作される回収装置を示している。
【図３】場合により中央ユニットを介して回収価格支払いポイントまたはチェックアウトポイントに関連付けられる回収装置をブロック図の形態で示している。
【発明を実施するための形態】
【００１９】
冒頭で述べたように、空き飲料容器２のための回収装置１、１ｎは３５年にわたって存在してきた。そのような回収装置１は、従来から、飲料容器２の挿入のための受け入れ部３と、１つ以上の挿入された飲料容器を検出するおよび／または認識するための装置４とを有する。このような装置４は、通常、飲料容器の輪郭認識、および／または、容器上のマーキングまたは識別子、例えばバーコード、スタンプ、もしくは、他の目に見えるまたは目に見えない識別子の検出を行なう。他のケースでは、検出は、飲料容器の材料とその価格または製造に関連する任意の識別子とに関して行なわれる。また、そのような既知の回収装置は、そのような飲料容器の回収価格に関するトークンを与えるための装置５を有する。既知の解決策では、この装置が通常はレシートプリンタである。
【００２０】
しかしながら、本発明では、少なくとも１つの選択されたバイオメトリック特徴、例えば飲料容器２を回収装置に挿入する人６の指紋６’を検出するようになっている少なくとも第１のセンサ５’が該装置５に含まれる。したがって、該選択されたバイオメトリック特徴が該トークンとしての役目を果たすことができる。そのため、人６は、検出可能なバイオメトリック特徴を検出できるようにするよう求められる。バイオメトリック特徴６’が指紋の場合には、人６は、自分の指、例えば自分の右手の人差し指をセンサ５’によって検出できるようにして、機械が飲料容器を受け入れ始める前に関連する一時メモリ８を有するプロセッサ７に登録できるようにしなければならない。
【００２１】
回収装置１のための始動回路９が該装置に含まれるのが有益である。したがって、回収装置１は、該バイオメトリック特徴６’が満足に検出されて登録されたときだけ飲料容器２を受け入れ始めるようになっている。この解決策は有益であると見なされる。なぜなら、飲料容器２の挿入時の回収装置１の自動的な始動、および、その後において飲料容器の全てが挿入されてトークン６’の形態を成す「レシート」が要求される際のバイオメトリック特徴の望ましい検出が、ある場合には、顧客６が指示に従おうとしないために、またはバイオメトリック特徴が検出されて一時的に登録されるのを妨げる異常をバイオメトリック特徴６’が含むためにバイオメトリック特徴を検出できないという結果に終わる場合があるからである。
【００２２】
しかしながら、回収装置１は受け入れ停止ボタン１０を備えることができる。これに代わる手段は、再起動時に、すなわち、センサ５’がバイオメトリック特徴を再検出する際に、該装置５が受け入れストッパとしての役目を果たすことである。
【００２３】
回収装置１のプロセッサ７は、空き飲料容器の受け入れが終了すると、一時メモリ８に登録されるバイオメトリックデータ６’を、挿入された飲料容器２に関して登録される回収価格と共に、回収装置１のプロセッサ７から送信ユニット１１および接続部１１’を介して回収価格支払いポイント１３、１３ｍにあるプロセッサ１２へと転送し、支払いポイントでデータがメモリ１４内に一時的に記憶される。
【００２４】
人６がチェックアウトポイント、すなわち、回収価格支払いポイント１３、１３ｍへ来ると、この人は、再びバイオメトリック特徴６’を少なくとも１つの他のセンサ１５によって検出できるようにしなければならない。該トークンを形成するバイオメトリック特徴６’が例えば人の右手人差し指の該指紋である場合、人６は、回収価格支払いポイント１１に到着した際に、今回はセンサ１５により自分の指紋を再び読み取ることができるようにするよう指示される。
【００２５】
回収価格支払いポイント１３、１３ｍは、例えば、ショップや小売店のレジであってもよい。
【００２６】
該回収価格支払いポイント１３、１３ｍは、相関器１６を有しており、または、中央ユニット１７の相関器２０に接続され、相関器は、回収装置から転送されたトークン６’とセンサ１５により検出されるバイオメトリック特徴６”との間で特徴が一致すると、回収価格の支払いを人６に対して行なう。この支払いは、回収価格、回収価格におけるクレジット、または、回収価格に相当する賞金を伴うくじ引き券の支払いの形態で支払いユニット２２から行なわれてもよい。
【００２７】
あるいは、メモリ１４を中央ユニット１７の中央メモリに取って代えることができるようにすることも可能である。同様に、複数の回収価格支払いポイント１３ｍに共通の中央ユニット１７に相関器を配置できるようにすることが適切な場合もある。このような中央相関器は、前述したように、参照符号２０により示される。この場合、バイオメトリック特徴６’および回収価格は、回収装置１または複数の回収装置１ｎのうちの関連する回収装置からプロセッサ１８へ転送されてメモリ１９に記憶される。プロセッサ１８は、バイオメトリックデータおよび回収価格の受信および一時的な記憶とそのような情報の相関とを制御し、回収装置１、１ｎおよび回収価格支払いポイントのプロセッサ１２の両方と通信を行なう。回収装置との通信は、ユニット１１および接続部１１”を介して行なわれ、一方、回収価格支払いポイント１３、１３ｍとの接続は接続部２１を介して行なわれる。
【００２８】
前述したように、該トークン６’としての役目を果たすようになっているバイオメトリック特徴として、人の／顧客６の指紋６’が使用されてもよい。しかしながら、この特徴、もう１つの特徴、または、他の特徴をたった１つのそのような特徴の形態で、または２つ以上の特徴の形態でトークンとして使用することを想起できる。
【００２９】
本発明によれば、指紋、顔立ち、眼の特性、虹彩の特徴、手形、掌の線パターン、血管パターン、体形、身長、体重、ＤＮＡ特性、および、音声スペクトルからなるグループのうちの少なくとも１つから該バイオメトリック特徴を選択することが提案される。例えば、顔立ち、眼の特性（例えば、虹彩の特徴）、体形、身長、および、音声スペクトルのうちの１つ以上を識別特徴として使用するため、例えばカメラ、マイクロホンなどを含んでもよいセンサ５”を使用できる。人の重量が測定されるようになっている場合には、回収装置に先んじて体重センサ５”’が存在しなければならない。センサ５”’は、例えば、指紋を検出するのに適するだけでなく、それに加えて、またはそれに代えて、手形または掌の線パターンを読み取ってもよい。例えば手の裏における血管パターンの検出は、例えば、おそらく、検出領域５””下に自分の手を挿入する人によって、または、このような更なる機能を有する装置４によって検出することができ、また、その場合、読み取りは、人が自分の手を受け入れ領域３に一時的に挿入するという点において許容される。ＤＮＡ特性の急速な判定は現在のところ不可能であり、少なくとも安価な方法ではないが、手の汗や、場合により無痛の血液サンプルなどの体液のサンプルを検出器が取得できると考えられる。
【００３０】
殆どの場合、以上から分かるように、小売店内、または小売店に、複数の回収装置１ｎおよび同様の複数の回収価格支払いポイント１３ｍが存在し得る。この場合には、該中央ユニットが目的にかなうことができ、それにより、実際には、センサ１３、プロセッサ１２、および、ユニット２２だけがそれぞれの回収価格支払いポイントで見出される。
【００３１】
該回収価格が支払われたときに、同時に一時記憶された人のバイオメトリック特徴に関するバイオメトリックデータが抹消され、それにより、回収価格がもはや任意の有効なトークンに関連付けられないようになることに留意することは重要である。このことは、バイオメトリック特徴および回収価格が回収装置から回収価格支払いポイントへ転送されるときに場合により中央ユニット１７を介して回収装置のメモリ８内にあったデータがそこで抹消されることも意味する。
【００３２】
しかしながら、言うまでもなく、回収価格支払いポイントのプロセッサ１２および／または中央プロセッサ１８、並びに、場合により回収装置のプロセッサ７は、受けられた飲料容器の数と、場合により異なるタイプの飲料容器間で分けられる回収価格の総支払い額とに関するデータを記憶できる。これは、統計的使用および会計管理のための人に依存しない情報となる。
【００３３】
１または複数のバイオメトリック特徴が検出されて登録される前に空き飲料容器を回収装置内に入れることができるため、また、回収装置内の該少なくとも１つのセンサ５’に対応する少なくとも１つのセンサ１５が存在して目に見えることから、回収価格支払いポイントが常に登録されたトークンを交付するためのリマインダーを有するため、顧客が回収価格の支払いを請求し忘れるという危険が最小限に抑えられる。
【図１】
2011527036.tif 000003
【図２】
2011527036.tif 000004
【図３】
2011527036.tif 000005
【国際調査報告】
2011527036.tif 000006
2011527036.tif 000007